(57)【要約】【課    題】容易に折り畳むことができ使用性に優れた装身用繊維製品を提供すること。【解決手段】装身用繊維製品用の任意の形状、例えば方形状の生地であれば、方形の折りたたみの希望の線として、点状又は線状の、あるいは生地の素材と異なる繊維部を設けることによりこの線を利用して折りたたみを容易になし得るようにする。【選択図】図3
0003127260.tif 000002
【実用新案登録請求の範囲】
【請求項１】
適宜の形状の生地に対して、折りたたみを容易にするための折りたたみ誘導部が形成されてなることを特徴とする装身用繊維製品。
【請求項２】
適宜の形状の生地が略方形状の生地であって、折りたたみ希望の線として折りたたみ誘導部が形成されてなることを特徴とする請求項１記載の装身用繊維製品。
【請求項３】
前記誘導部が、点状又は線状の縫製部であることを特徴とする請求項１又は２に記載の装身用繊維製品。
【請求項４】
前記誘導部が、生地の素材と異なる繊維により形成されたものであることを特徴とする請求項１又は２に記載の装身用繊維製品。
【請求項５】
前記誘導部が、生地の他部と密度を異にする部位であることを特徴とする請求項１又は２に記載の装身用繊維製品。
【請求項６】
装身用繊維製品が、マフラー、ショール、スカーフから選ばれる製品であることを特徴とする請求項１〜５のいずれかに記載の装身用繊維製品。
【考案の詳細な説明】
【技術分野】
【０００１】
本考案は、容易に折り畳むことができ使用性に優れる装身用繊維製品に関する。
さらに詳しくは、本発明は、方形の生地の辺にほぼ平行な対称線に沿う折りたたみ作業性に優れる装身用繊維製品に関するものである。
【背景技術】
【０００２】
従来、マフラー、ショール、スカーフなどの装身用繊維製品は、通常長方形状ないし帯状のもので身に着ける際に長辺同士を合わせる形で2つ折にされるのが普通である。特に小綺麗にしようと身に着けるには、整然と折り畳んだ方が見栄え良いが、普通、長物又は長尺状であるために整然と折り畳むためにはテーブル上に置いて作業しない限り折りたたみが困難であった。
一方、ファッション性の点から、フリル形成のため長手方向にゴム紐を配置したスカーフが特開２００４−７６２１８号公報（特許文献１）に開示されているが、折りたたみに便なるようにフリルを形成するという手数のかかるものであった。
また、カラフル感を楽しむため色の異なる複数の短冊状布地の長辺同士を接合したマフラーが実開平６−６９２２１号公報（特許文献２）に開示されているが、複数の異なる色や模様を有する細帯状の布地を折目でわざわざ接合するやはり手数のかかるもので、経済性の上で簡便なものとは言えなかった。
上述するように、公知技術のものでは、長物又は長尺の1枚ものの生地において、しわを発生させることなく、折りたたみが簡単にできるようにしたものはなかった。
【０００３】
【特許文献１】特開２００４−７６２１８号公報
【特許文献２】実開平６−６９２２１号公報
【考案の開示】
【考案が解決しようとする課題】
【０００４】
本考案は、一枚物の生地を使用した装飾用繊維製品、特にマフラー、ショール、スカーフなどの長尺状の装身用繊維製品において、折りたたみ操作を容易に、しかも確実にできるようにした装身用繊維製品を提供しようとするものである。
【課題を解決するための手段】
【０００５】
すなわち、本考案は以下の構成を基本とするものである。
（１）適宜の形状の生地に対して、折りたたみを容易にするための折りたたみ誘導部が形成されてなることを特徴とする装身用繊維製品。
（２）適宜の形状の生地が略方形状の生地であって、折りたたみ希望の線として折りたたみ誘導部が形成されてなることを特徴とする（１）の装身用繊維製品。
（３）前記誘導部が、点状又は線状の縫製部であることを特徴とする（１）の装身用繊維製品。
（４）前記誘導部が、生地の素材と異なる繊維により形成されたものであることを特徴とする（１）又は（２）の装身用繊維製品。
（５）前記誘導部が、生地の他部と密度を異にする部位であることを特徴とする前記（1）又は（２）の装身用繊維製品。
（６）装身用繊維製品が、マフラー、ショール、スカーフから選ばれる製品であることを特徴とする（１）〜（５）のいずれかに記載の装身用繊維製品。
【考案の効果】
【０００６】
本考案の装身用繊維製品は、折りたたみ誘導部を辺に平行な方向に設けることで２つ折り、3つ折り、4つ折りなどの操作を手に把持したままで簡単に行うことができ、折りたたみ後の製品の見栄えが良くなる。
また、該折りたたみ誘導部の具体的態様として、（ア）点状又は線状の縫製部、（イ）生地の素材と異なる繊維により形成されたもの、（ウ）生地と密度を異にする部位の形成、などを挙げることができる。これらによると製品の外観を損ねることなく、むしろ一枚物の生地にアクセントを付けることになりファッション効果を奏する。
【考案を実施するための最良の形態】
【０００７】
次に、本考案を実施するための最良の形態について具体的に説明する。
本考案の装身用繊維製品を形成する生地は、織物、編み物、不織布など任意の布帛類を使用することができる。好ましくは、編み物（ニット）を使用するのが良い。編みの目開き、密度などは特段制限されるものではない。かかる生地の一枚もので本考案の装身用繊維製品は構成される。
本考案で導入する折りたたみ誘導部は、生地がいずれの形状でも可能であるが、例えば方形、特に長方形の場合、長辺に平行に設けられる。2つ折りを意図する場合は、ほぼ対称線に沿って設け、3つ折りや4つ折りなどを意図する場合は、幅方向をほぼ等分する位置に設ける。生地が略正方形の場合は、いずれかの辺に平行なように折りたたみ誘導部を形成してもよい。
本考案でいう折りたたみ誘導部は、生地が本来的に持つ柔軟性などの性質を損なうことなく、予め形成された誘導部に沿って自然に折り畳まれるような仕掛けを意味し、パーマネントプレスなどで得られる折り目のように生地を硬くするものではない。かかる誘導部は点状、線状又は帯状に設けられ生地の辺にほぼ平行に形成される。
【０００８】
誘導部の好ましい具体例として、次の３つを挙げることができる。
（ア）点状又は線状の縫製部
（イ）生地の素材と異なる繊維により形成された誘導部
（ウ）生地と密度を異にする部位により形成された誘導部
【０００９】
ここに、（ア）は、点状又は線状の縫い目、あるいは任意のミシン目のような縫製部をスポット的又は直線状に設けた折りたたみ誘導部である。
（イ）は、生地の製造過程において、折り畳むための所定の部位を、生地を形成する繊維と異なる種類の繊維によって線状又は帯状となるように構成する技術により作られる。
（ウ）は、折り畳むための所定の部位を、他の部分と密度が異なるように製造することで形成される。好ましくは、当該部分が他の部分より低密度とすることで柔らかくなるようにすればよい。
本考案の装身用繊維製品は、身に付けるものであれば特段限定はされないが好ましくはマフラー、ショール、スカーフから選ばれるものが適当である。
【００１０】
（実施例）
次に、本考案を実施例によってさらに詳しく説明する。
【実施例１】
【００１１】
略長方形状の毛糸製編物からなるマフラー生地に対し、折りたたみ誘導部として長手方向中央部に図１に示すように着色した糸を用いてミシン目を施した。このマフラーは、両端部を手で把持してミシン目に沿って折りたたみが容易であり、しかも生地の柔軟性が損なわれることはなく、着用感も良好であった。
【実施例２】
【００１２】
略長方形状の毛糸製編物からなるマフラー生地に対し、折りたたみ誘導部として長手方向中央部に太くやや剛性のある糸を用いて図２に示すように手縫いによる縫目を施した。このマフラーは、両端部を手で把持して縫目に沿って折りたたみが容易であり、しかも生地の柔軟性が損なわれることはなく、着用感も良好であった。
【実施例３】
【００１３】
略長方形状のシルク織物からなるスカーフ生地に対し、折りたたみ誘導部として長手方向中央部に生地と異なる色に着色した糸を用いて図２に示すように手縫いによる縫目を施した。このスカーフは、両端部を手で把持して縫目に沿って折りたたみが容易であり、しかも生地の柔軟性が損なわれることはなく、着用感も良好であった。
【実施例４】
【００１４】
生地用として毛糸と、折りたたみ誘導部用として木綿糸を使用して、図３に示すような構造を有する編物からなる略長方形状のショールを製造した。（図３において長辺に平行な中央部の帯状部が折りたたみ誘導部に対応する）
このショールは、両端部を手で把持して該帯状部に沿って折りたたみが容易であり、しかも生地の柔軟性が損なわれることはなく、着用感も良好であった。
【実施例５】
【００１５】
略長方形状であって、折りたたみ誘導部の編密度が低くなるように編加工した毛糸製マフラーを製造した。（図４に示すごとく長辺に平行な中央部が低密度領域となっている）
このマフラーは、両端部を手で把持して該帯状部に沿って折りたたみが容易であり、しかも生地の柔軟性が損なわれることはなく、着用感も良好であった。
【図面の簡単な説明】
【００１６】
【図１】本考案の装身用繊維製品の一実施態様を示す平面概念図である。
【図２】本考案の装身用繊維製品の別な実施態様を示す平面概念図である。
【図３】本考案の装身用繊維製品の別な実施態様を示す平面概念図である。
【図４】本考案の装身用繊維製品の別な実施態様を示す平面概念図である。
【符号の説明】
【００１７】
１  生地
２  ミシン目
３  縫目
４  生地と異なる繊維により形成された帯状部
５  生地と密度が異なる帯状部
【図１】
0003127260.tif 000003
【図２】
0003127260.tif 000004
【図３】
0003127260.tif 000005
【図４】
0003127260.tif 000006
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
適宜の形状の生地に対して、折りたたみを容易にするための折りたたみ誘導線が形成されてなることを特徴とする装身用繊維製品。
【請求項２】
適宜の形状の生地が略方形状の生地であって、折りたたみ希望の線として折りたたみ誘導線が形成されてなることを特徴とする請求項1記載の装身用繊維製品。
【請求項３】
前記誘導線が、点状又は線状の縫製部であることを特徴とする請求項１又は２に記載の装身用繊維製品。
【請求項４】
前記誘導線が、生地の素材と異なる繊維により形成されたものであることを特徴とする請求項１又は２に記載の装身用繊維製品。
【請求項５】
前記誘導線が、生地の他部と密度を異にする部位であることを特徴とする請求項１又は２に記載の装身用繊維製品。
【請求項６】
装身用繊維製品が、マフラー、ショール、スカーフから選ばれる製品であることを特徴とする請求項１〜５のいずれかに記載の装身用繊維製品。
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
適宜の形状の生地に対して、折りたたみを容易にするための点状又は線状の縫製部からなる折りたたみ誘導線が形成されてなることを特徴とする装身用繊維製品。
【請求項２】
適宜の形状の生地が略方形状の生地であって、折りたたみ希望の線として折りたたみ誘導線が形成されてなることを特徴とする請求項１記載の装身用繊維製品。
【請求項３】
前記誘導線が、生地の素材と異なる繊維により形成されたものであることを特徴とする請求項１又は２に記載の装身用繊維製品。
【請求項４】
前記誘導線が、生地の他部と密度を異にする部位であることを特徴とする請求項１又は２に記載の装身用繊維製品。
【請求項５】
装身用繊維製品が、マフラー、ショール、スカーフから選ばれる製品であることを特徴とする請求項１〜４のいずれかに記載の装身用繊維製品。